(57)【要約】【課題】映像表示パネルを備えた薄型表示装置において，簡易な構成により，高温な装置内部からの伝熱によるディスクドライブの温度上昇を抑制できること。【解決手段】背面側筐体１０におけるディスクドライブユニット２１に対向する面に断熱用の窪み１２が形成され，前記背面側筐体１０に取り付けられた前記ディスクドライブユニット２１の表面が前記断熱用の窪１２みを密閉する構造を有している。前記ディスクドライブユニット２１により密閉された前記断熱用の窪み１２の領域が，前記背面側筐体１０と前記ディスクドライブユニット２１との間の断熱層となり，その断熱層が高温な装置内部から前記ディスクドライブユニット２１への熱伝達を遮る。【選択図】図４
2010113754.tif 000002
【特許請求の範囲】
【請求項１】
映像表示パネル及びその背面側の外装を形成する背面側筐体の外側に取り付けられるディスクドライブユニットを備えた薄型表示装置であって，
前記背面側筐体における前記ディスクドライブユニットに対向する面に断熱用の窪みが形成され，前記背面側筐体に取り付けられた前記ディスクドライブユニットの表面が前記断熱用の窪みを密閉してなることを特徴とする薄型表示装置。
【請求項２】
密閉された前記断熱用の窪みに空気が充填されてなる請求項１に記載の薄型表示装置。
【請求項３】
前記ディスクドライブユニットが内側に取り付けられるカバー部材を具備し，
前記ディスクドライブユニットと一体となった前記カバー部材が前記背面側筐体に取り付けられることによって前記ディスクドライブユニットが前記断熱用の窪みの周囲の部分と接して前記断熱用の窪みを密閉する構造を有してなる請求項１又は２のいずれかに記載の薄型表示装置。
【請求項４】
前記背面側筐体に前記カバー部材が嵌合する嵌合用の窪みが形成され，該嵌合用の窪みの中に前記断熱用の窪みが形成されてなる請求項３に記載の薄型表示装置。
【発明の詳細な説明】
【技術分野】
【０００１】
本発明は，映像表示パネル及びその背面側の外装を形成する背面側筐体の外側に取り付けられるディスクドライブユニットを備えた薄型表示装置に関するものである。
【背景技術】
【０００２】
昨今，液晶パネル等の映像表示パネルを備えたパネル型表示装置である薄型表示装置は，液晶テレビジョン受像機に代表されるように，薄型化が益々進み，厚みが数十ｍｍ程度のものが一般的となり，厚みが１０ｍｍ未満の製品も提供されつつある。
そして，薄型表示装置は，薄型化によって装置内における部品密度が高くなり，一般に通気性が良くない。そのため，薄型表示装置において，内部温度は７０℃程度まで上昇する場合があり，それに応じて，背面側の外装を形成する筐体の温度は６０℃程度まで上昇する場合がある。
【０００３】
ところで，昨今の薄型表示装置は，光ディスクドライブやハードディスクドライブなどのディスクドライブが設けられ，光ディスクやハードディスク等の記録メディアに放送番組等のコンテンツを録画する録画機能及び録画データに基づく再生機能を備えるものがある。これにより，録画・再生機能を有するＡＶ（Audio Visual）システム全体の省スペース化が実現される。なお，光ディスクドライブには，ＤＶＤ（Digital Versatile Disc）のドライブやブルーレイディスクのドライブ等がある。
また，ディスクドライブは，記録メディアにアクセスするピックアップ部の特性が環境温度に応じて敏感に変化する。そのことから，ディスクドライブは，薄型表示装置における他の部品よりも耐環境温度が低い場合がある。そのため，薄型表示装置においては，それに取り付けられるディスクドライブの熱対策が重要となる。
例えば，特許文献１には，液晶パネルの下方にディスクドライブユニットが内蔵され，液晶パネルとその背面側の基板との間の隙間を通じて熱気流が煙突効果で上昇する構造を備えた液晶テレビジョン受像機について示されている。
【特許文献１】特開２００１−３３２０７４号公報
【発明の開示】
【発明が解決しようとする課題】
【０００４】
ところで，薄型化が進んだ昨今の薄型表示装置において，ディスクドライブは，特許文献１に示されるように筐体内に配置される場合よりも，その背面側の筐体の外側に取り付けられる場合の方が多い。それは，ディスクドライブを装置の背面側に隠して美観を向上させるためであり，また，ディスクドライブをオプション部品として後付け可能とするためでもある。
しかしながら，特に薄型の薄型表示装置において，非常に高温となる背面側の筐体にディスクドライブユニットを取り付けることは，ディスクドライブユニットが過剰高温になり得るという問題点があった。
また，ディスクドライブユニットの熱対策は，極力簡易な構成により実現できることが望ましい。さらに，ディスクドライブユニットは，粉塵に弱いことから，外気が流入する通風冷却構造を採用することは望ましくない。
従って，本発明は上記事情に鑑みてなされたものであり，その目的とするところは，簡易な構成により，高温な装置内部からの伝熱によるディスクドライブの温度上昇を抑制できる薄型表示装置を提供することにある。
【課題を解決するための手段】
【０００５】
上記目的を達成するために本発明に係る薄型表示装置は，液晶パネルなどの映像表示パネルと，その映像表示パネルの背面側の外装を形成する背面側筐体の外側に取り付けられるディスクドライブユニットとを備えている。
そして，本発明に係る薄型表示装置は，前記背面側筐体における前記ディスクドライブユニットに対向する面に断熱用の窪みが形成され，前記背面側筐体に取り付けられた前記ディスクドライブユニットの表面が前記断熱用の窪みを密閉する構造を有している。
そして，密閉された前記断熱用の窪みには，例えば，空気が充填されていることが考えられる。これにより，当該装置の組み立て工程において，前記断熱用の窪みに対して特別な断熱材を充填する追加の工程が必要とされない。
本発明によれば，前記断熱用の窪みの領域が，前記ディスクドライブユニットにより密閉され，前記背面側筐体と前記ディスクドライブユニットとの間が断熱層となり，その断熱層が高温な装置内部から前記ディスクドライブユニットへの熱伝達を遮る。
また，前記ディスクドライブユニットが，前記断熱用の窪みを密閉する部材を兼ね，前記ディスクドライブユニットを前記背面側筐体に取り付けるだけで前記断熱層が形成される。従って，ごく簡易な構成により前記ディスクドライブユニットの熱対策を実現できる。
また，前記断熱層は，外部から遮断された密閉領域であるため，外気が流入する通風冷却構造とは異なり，外部の粉塵が前記ディスクドライブユニット内に浸入しにくい構造となっている。
【０００６】
ところで，前記ディスクドライブユニットは，前記薄型表示装置の背面側に外付けされる場合，その周りに保護用のカバー部材が設けられることが一般的である。ここで，薄型表示装置の組み立て手順としては，まず，前記背面側筐体に対して前記ディスクドライブユニットを取り付け，次に，前記カバー部材を取り付けるという２段階の手順が考えられる。
しかしながら，前記薄型表示装置の組み立て現場においては，より少ない手順で前期ディスクドライブユニットを取り付けできることが望ましい。
そこで，本発明に係る薄型表示装置が，前記ディスクドライブユニットが内側に取り付けられるカバー部材を備え，さらに，以下に示す構造を有することが望ましい。
即ち，その構造は，前記ディスクドライブユニットと一体となった前記カバー部材が前記背面側筐体に取り付けられることにより，前記ディスクドライブユニットが前記断熱用の窪みの周囲の部分と接して前記断熱用の窪みを密閉する構造である。
これにより，前記薄型表示装置の組み立て現場においては，前記ディスクドライブユニットと一体となった前記カバー部材を前記背面側筐体に取り付けるというわずか１段階の手順により，前記ディスクドライブユニットの取り付けが可能となる。
また，本発明に係る薄型表示装置が，前記背面側筐体に前記カバー部材が嵌合する嵌合用の窪みが形成され，その嵌合用の窪みの中に前記断熱用の窪みが形成された構造を有することが考えられる。
これにより，前記ディスクドライブユニットと一体となった前記カバー部材が，前記嵌合用の窪みへの嵌合によって位置決めされ，同時に，前記断熱用の窪みに対する前記ディスクドライブユニットの位置決めもなされる。その結果，前記背面側筐体に対する前記ディスクドライブユニット及び前記カバー部材の取り付けが容易となる。また，前記カバー部材の前記嵌合用の窪みへの嵌合機構により，外部の粉塵が前記ディスクドライブユニット内へより浸入しにくい構造となる。
【発明の効果】
【０００７】
本発明によれば，薄型表示装置において，簡易な構成により，高温な装置内部からの伝熱によるディスクドライブの温度上昇を抑制することができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る薄型表示装置の一例である液晶テレビジョン受像機Ｘの背面側からの斜視図，図２は液晶テレビジョン受像機Ｘにおけるディスクドライブの取り付け構造の断面図，図３は液晶テレビジョン受像機Ｘの背面側筐体におけるディスクドライブの配置位置を表す図，図４は液晶テレビジョン受像機Ｘにおけるディスクドライブの断熱構造の断面図である。
【０００９】
まず，図１に示される斜視図を参照しつつ，本発明の実施形態に係る薄型表示装置の一例である液晶テレビジョン受像機Ｘの外観について説明する。
前記液晶テレビジョン受像機Ｘは，その前面側に映像表示用の液晶パネル１を備え，その背面側には外装を形成する筐体１０が設けられている。その筐体１０のことを，以下，背面側筐体１０と称する。
さらに，前記液晶テレビジョン受像機Ｘは，前記背面側筐体１０の外側，即ち，背面側に取り付けられるディスクドライブユニット２１を備えている。
また，前記ディスクドライブユニット２１の外側には，それを覆うカバー部材２２が設けられている。
前記ディスクドライブユニット２１は，例えば，箱形の筐体に収容されてユニット化されたブルーレイディスクドライブやＤＶＤドライブなどであり，前記液晶テレビジョン受像機Ｘの側面側からデータ記録媒体であるディスクが着脱される。
薄型の前記液晶テレビジョン受像機Ｘにおいて，前記背面側筐体１０は，前記液晶パネル１を照明するバックライトやそのバックライトに電力を供給するインバータ回路などの装置内部の部品から発生する熱が伝わり，高温になりやすい部材である。
【００１０】
次に，図２及び図３を参照しつつ，前記ディスクドライブユニット２１の取り付け構造について説明する。
前記背面側筐体１０は，前記ディスクドライブユニット２１に対向する面に断熱用の窪み１２が形成されている。
そして，液晶テレビジョン受像機Ｘは，前記ディスクドライブユニット２１が前記背面側筐体１０に取り付けられることにより，そのディスクドライブユニット２１の表面が前記断熱用の窪み１２を密閉する構造を有している。
【００１１】
また，液晶テレビジョン受像機Ｘは，前記ディスクドライブユニット２１が内側に取り付けられる前記カバー部材２２を備えている。ここで，前記ディスクドライブユニット２１は，取付金具２３を介して，ビス２４，２５により前記カバー部材２２に取り付けられる。即ち，前記ディスクドライブユニット２１は，前記背面側筐体１０に取り付けられる前に前記カバー部材２２に取り付けられ，そのカバー部材２２と一体となっている。図２に示される例では，前記ディスクドライブユニット２１に対して前記取付金具２３が前記ビス２４によって固定され，その取付金具２３が，前記ビス２５によって前記カバー部材２２の一部であるビス受部２２ａに固定されている。
そして，前記ディスクドライブユニット２１と一体となった前記カバー部材２２が，ビス３０によって前記背面側筐体１０に取り付けられる。図２に示される例では，前記カバー部材２２に貫通孔を有する厚肉部２２ｂが形成されており，その圧肉部２２ｂの貫通穴に挿通させた前記ビス３０により，前記カバー部材２２が前記背面側筐体１０に固定される。また，前記背面側筐体１０には，前記ビス３０が螺着されるねじ孔１３が設けられている。
また，前記カバー部材２２が前記背面側筐体１０に取り付けられることにより，前記ディスクドライブユニット２１が，前記断熱用の窪み１２の周囲の部分，即ち，前記断熱用窪み１２よりも１段隆起した部分と接して前記断熱用の窪み１２を密閉する構造を有している。
【００１２】
図３は，装置背面側から見たときの前記断熱用の窪み１２と前記ディスクドライブユニット２１との重なり合いの関係の一例を表している。
図３に示される例では，前記断熱用の窪み１２の面積は，前記ディスクドライブユニット２１における前記背面側筐体１０への対向面の面積の約７６％の領域を占めている。即ち，前記ディスクドライブユニット２１における前記対向面の残りの２４％の部分のみが，前記背面側筐体１０における前記断熱用の窪み１２の周囲の部分に接する。
このように，前記液晶テレビジョン受像機Ｘは，前記ディスクドライブユニット２１と一体となった前記カバー部材２２を前記背面側筐体１０に取り付けるというわずか１段階の手順により，前記ディスクドライブユニット２１の取り付けが可能である。
また，密閉された前記断熱用の窪み１２は，例えば，空気が充填された状態となっている。そのため，前記液晶テレビジョン受像機Ｘの組み立て工程において，前記断熱用の窪み１２に対して特別な断熱材を充填する追加の工程が必要とされない。なお，密閉された前記断熱用の窪み１２には，空気よりも熱伝導率の低い物質が充填されることも考えられる。
【００１３】
前記液晶テレビジョン受像機Ｘにおいて，前記断熱用の窪み１２の領域は，前記ディスクドライブユニット２１により密閉され，前記背面側筐体１０と前記ディスクドライブユニット２１との間が断熱層となる。そして，その断熱層が，高温な装置内部から前記ディスクドライブユニット２１への熱伝達を大幅に遮る。
また，前記ディスクドライブユニット２１は，前記断熱用の窪み１２を密閉する部材を兼ね，そのディスクドライブユニット２１を前記背面側筐体１０に取り付けるだけで前記断熱層が形成される。従って，前記背面側筐体１０を断熱層を内包する二重構造にする場合などに比べ，ごく簡易な構成により前記ディスクドライブユニット２１の熱対策を実現できる。
また，前記断熱層は，外部から遮断された密閉領域であるため，外気が流入する通風冷却構造とは異なり，外部の粉塵が前記ディスクドライブユニット２１内に浸入しにくい構造となっている。
【００１４】
一般に，前記背面側筐体１０は樹脂製であるため，その熱伝達率は１．５［Ｗ／(ｍ・Ｋ)］程度である。一方，密閉された前記断熱用の窪み１２の部分である前記断熱層に空気が充填されているとすると，前記断熱層の熱伝達率は，空気の熱伝達率，即ち，０．０２［Ｗ／(ｍ・Ｋ)］程度である。従って，前記断熱層が存在する領域については，前記ディスクドライブユニット２１が前記背面側筐体１０へ接する領域に比べ，前期背面側筐体１０から前記ディスクドライブユニット２１への熱伝達をほぼ無視できる。
ここで，前記断熱用の窪み１２が存在する本発明の構造と，前記断熱用の窪み１２が存在しない従来の構造との比較について検討する。なお，前記断熱用の窪み１２が存在しない従来の構造においては，前記ディスクドライブユニット２１における前記背面側筐体１０への対向面全体が，前記背面側筐体１０と接する。
また，前記背面側筐体１０の熱抵抗をＲcab，前記ディスクドライブユニット２１の熱抵抗をＲdd，前記背面側筐体１０の内側の温度，即ち，装置内部の温度をＴin，装置外部の温度をＴoutとすると，前記ディスクドライブユニット２１の温度Ｔdd1は，次の（１）式により表される。
Ｔdd1 ＝ (Ｔin−Ｔout)×[Ｒdd／(Ｒcab＋Ｒdd)]＋Ｔout  …（１）
そして，前記従来の構造においては，概ね，Ｒcab：Ｒdd＝１：２程度であると仮定できる。そうすると，装置内部の温度Ｔin＝７５℃，装置外部の温度Ｔout＝３５℃である場合，前記従来の構造における前記ディスクドライブユニット２１の温度Ｔdd1は，６１℃程度となる。
【００１５】
一方，前記本発明の構造において，前記断熱用の窪み１２の面積が，前記ディスクドライブユニット２１における前記背面側筐体１０への対向面の面積の約４分の３の領域を占めるとする。即ち，前記ディスクドライブユニット２１の前記対向面における前記背面側筐体１０への接触する部分の面積が約４分の１であるとする。この場合，前記本発明の構造において，接触面積に反比例する前記背面側筐体１０の熱抵抗Ｒcabは，前記従来の構造における熱抵抗に対して約４倍となる。従って，前記本発明の構造においては，概ね，Ｒcab：Ｒdd＝４：２程度であると仮定できる。そうすると，装置内部の温度Ｔin＝７５℃，装置外部の温度Ｔout＝３５℃である場合，前記本発明の構造によれば，前記ディスクドライブユニット２１の温度Ｔdd1を４８℃程度にまで下げることができる。
【００１６】
また，図２及び図３に示されるように，前記背面側筐体１０には，前記カバー部材２２が嵌合する嵌合用の窪み１１が形成されている。そして，前記嵌合用の窪み１１の中に前記断熱用の窪み１２が形成されている。
これにより，前記ディスクドライブユニット２１と一体となった前記カバー部材２２は，前記嵌合用の窪み１１への嵌合によって位置決めされる。それと同時に，前記断熱用の窪み１２に対する前記ディスクドライブユニット２１の位置決めもなされる。その結果，前記背面側筐体１０に対する前記ディスクドライブユニット２１及び前記カバー部材２２の取り付けが容易となる。また，前記カバー部材２２の前記嵌合用の窪み１１への嵌合機構により，外部の粉塵が前記ディスクドライブユニット２１内へより浸入しにくい構造となっている。
【００１７】
なお，以上に示した実施形態では，前記ディスクドライブユニット２１と一体となった前記カバー部材２２が，前記背面側筐体１０に取り付けられる構造が採用されたが，他の構造が採用されることも考えられる。例えば，まず，前記ディスクドライブユニット２１が前記背面側筐体１０に取り付けられ，その後，前記カバー部材２２が前記背面側筐体１０に取り付けられる構造も考えられる。
また，前記液晶テレビジョン受像機Ｘが，前記ディスクドライブユニット２１における前記背面側筐体１０に対応する面と，前記背面側筐体１０における前記断熱用の窪み１２の外縁部の面との間に挟持されるゴムやウレタンなどの断熱性の弾性部材を備えることも考えられる。これにより，前記背面側筐体１０と前記ディスクドライブユニット２１との間の熱抵抗をさらに高くでき，断熱効果をより高めることができる。
【産業上の利用可能性】
【００１８】
本発明は，液晶テレビジョン受像機などの薄型表示装置への利用が可能である。
【図面の簡単な説明】
【００１９】
【図１】本発明の実施形態に係る薄型表示装置の一例である液晶テレビジョン受像機Ｘの背面側からの斜視図。
【図２】液晶テレビジョン受像機Ｘにおけるディスクドライブの取り付け構造の断面図。
【図３】液晶テレビジョン受像機Ｘの背面側筐体におけるディスクドライブの配置位置を表す図。
【図４】液晶テレビジョン受像機Ｘにおけるディスクドライブの断熱構造の断面図。
【符号の説明】
【００２０】
Ｘ    ：液晶テレビジョン受像機
１    ：液晶パネル
１０  ：背面側筐体
１１  ：嵌合用の窪み
１２  ：断熱用の窪み
１３  ：ねじ孔
２１  ：ディスクドライブ
２２  ：カバー部材
２２ａ：ビス受部
２２ｂ：厚肉部
２３  ：取付金具具
２４，２５，３０：ビス
【図１】
2010113754.tif 000003
【図２】
2010113754.tif 000004
【図３】
2010113754.tif 000005
【図４】
2010113754.tif 000006
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
映像表示パネル及びその背面側の外装を形成する背面側筐体の外側に取り付けられるディスクドライブユニットを備えた薄型表示装置であって，
前記背面側筐体における前記ディスクドライブユニットに対向する面に窪みが形成されてなることを特徴とする薄型表示装置。
【請求項２】
前記窪みが断熱用である請求項１に記載の薄型表示装置。
【請求項３】
前記背面側筐体に取り付けられた前記ディスクドライブユニットの表面が前記窪みを密閉してなるものである請求項１あるいは２のいずれかに記載の薄型表示装置。
【請求項４】
密閉された前記断熱用の窪みに空気が充填されてなる請求項１〜３のいずれかに記載の薄型表示装置。
【請求項５】
前記ディスクドライブユニットが内側に取り付けられるカバー部材を具備し，
前記ディスクドライブユニットと一体となった前記カバー部材が前記背面側筐体に取り付けられることによって前記ディスクドライブユニットが前記断熱用の窪みの周囲の部分と接して前記断熱用の窪みを密閉する構造を有してなる請求項１〜４のいずれかに記載の薄型表示装置。
【請求項６】
前記背面側筐体に前記カバー部材が嵌合する嵌合用の窪みが形成され，該嵌合用の窪みの中に前記断熱用の窪みが形成されてなる請求項５に記載の薄型表示装置。
【手続補正２】
【補正対象書類名】明細書
【補正対象項目名】０００５
【補正方法】変更
【補正の内容】
【０００５】
上記目的を達成するために本発明に係る薄型表示装置は，液晶パネルなどの映像表示パネルと，その映像表示パネルの背面側の外装を形成する背面側筐体の外側に取り付けられるディスクドライブユニットとを備えている。
そして，本発明に係る薄型表示装置は，前記背面側筐体における前記ディスクドライブユニットに対向する面に窪みが形成されている。この窪みは断熱用の窪みであることが望ましく，更に望ましくは，前記背面側筐体に取り付けられた前記ディスクドライブユニットの表面が前記断熱用の窪みを密閉する構造を有していることである。
そして，密閉された前記断熱用の窪みには，例えば，空気が充填されていることが考えられる。これにより，当該装置の組み立て工程において，前記断熱用の窪みに対して特別な断熱材を充填する追加の工程が必要とされない。
本発明によれば，前記断熱用の窪みの領域が，前記ディスクドライブユニットにより密閉され，前記背面側筐体と前記ディスクドライブユニットとの間が断熱層となり，その断熱層が高温な装置内部から前記ディスクドライブユニットへの熱伝達を遮る。
また，前記ディスクドライブユニットが，前記断熱用の窪みを密閉する部材を兼ね，前記ディスクドライブユニットを前記背面側筐体に取り付けるだけで前記断熱層が形成される。従って，ごく簡易な構成により前記ディスクドライブユニットの熱対策を実現できる。
また，前記断熱層は，外部から遮断された密閉領域であるため，外気が流入する通風冷却構造とは異なり，外部の粉塵が前記ディスクドライブユニット内に浸入しにくい構造となっている。